(57)【要約】【課題】多数の仕向先毎に輸送鍵を設定してＩＤカード素材を発行すると発行工程における作業が複雑になって、生産性が低下する。【解決手段】仕向先に共通したデータを有する第１輸送鍵をＩＤカード素材に書き込んでＩＤカード素材を発行し、仕向先において、二次発行側が有する第２の輸送鍵による認証をデータの変換を用いて行う。【選択図】        図１
2005004589.tif 000002
【特許請求の範囲】
【請求項１】
複数の仕向先に輸送されるＩＣメモリ内蔵のＩＤカード素材を発行する一次発行装置及び該一次発行装置から輸送された前記ＩＤカード素材に情報を記録してＩＤカードを発行する二次発行装置を有するＩＤカード発行システムにおいて、
前記一次発行装置は、前記複数の仕向先に共通したデータを有する第１輸送鍵を前記ＩＣメモリに記録する記録手段を有するとともに、前記二次発行装置は、前記第１輸送鍵を読み取るカードリーダ、第２輸送鍵を照合用データに変換する変換手段及び前記第１輸送鍵と前記照合用データとを照合する照合手段を有することを特徴とするＩＤカード発行システム。
【請求項２】
複数の仕向先に輸送されるＩＣメモリ内蔵のＩＤカード素材を発行する一次発行装置及び該一次発行装置から輸送された前記ＩＤカード素材に情報を記録してＩＤカードを発行する二次発行装置を有するＩＤカード発行システムにおいて、
前記一次発行装置は、前記複数の仕向先に共通したデータを有する第１輸送鍵を前記ＩＣメモリに記録する記録手段を有するとともに、前記二次発行装置は、前記第１輸送鍵を読み取るカードリーダ、第１輸送鍵を照合用データに変換する変換手段及び前記照合用データと第２輸送鍵とを照合する照合手段を有することを特徴とするＩＤカード発行システム。
【請求項３】
前記二次発行装置に第２輸送鍵を供給する第２輸送鍵供給手段を有することを特徴とする請求項１又は請求項２に記載のＩＤカード発行システム。
【請求項４】
ＩＤカード素材から第１輸送鍵を読み取るカードリーダ、第１輸送鍵を照合用データに変換する変換手段及び前記照合用データと第２輸送鍵とを照合する照合手段を有することを特徴とするＩＤカード発行装置。
【請求項５】
ＩＤカード素材から第１輸送鍵を読み取るカードリーダ、第２輸送鍵を照合用データに変換する変換手段及び第１輸送鍵と前記照合用データとを照合する照合手段を有することを特徴とするＩＤカード発行装置。
【請求項６】
カードリーダから第１輸送鍵を取得し、該第１輸送鍵を照合用データに変換し、変換された照合用データと第２輸送鍵とを照合することを特徴とするＩＤカードの認証プログラム。
【請求項７】
カードリーダから第１輸送鍵を取得し、第２輸送鍵を照合用データに変換し、前記第１輸送鍵と前記照合用データとを照合することを特徴とするＩＤカードの認証プログラム。
【発明の詳細な説明】
【０００１】
【発明の属する技術分野】
本発明はＩＤカードの発行システム及び発行装置に関し、特に、各ＩＤカードに付与される輸送鍵の管理技術に関する。
【０００２】
【従来の技術】
ＩＤカードは、カード所有者の身分や所属を証明するものである関係で、個人情報を担持しており、情報漏洩や不正使用の防止、紛失時の対策等の観点から厳重な管理システムの元に使用されている。
【０００３】
さらに、カードとして発行される前の段階における素材、すなわちＩＤカード素材も通常の物品にはない管理下に置かれる。
【０００４】
特許文献１では、ＩＣカード発行者側が一対の鍵を設定して一つの鍵を輸送鍵としてカード製造者に渡し、カード製造者からのＩＣカードを認証する際に、ＩＣカードのＩＣから輸送鍵を読み取って一対の鍵の照合を行うＩＣカードの認証・発行システムが提案されている。
【０００５】
このようなカード発行システムでは、カード製造者は一次発行者として、厳重な管理の元にＩＤカード素材を発行し、ＩＤカードを発行する者が二次発行者として、輸送鍵を用いてＩＤカード素材を認証し、ＩＤカード素材に個々の情報を書き込んでＩＤカードを発行する。
【０００６】
【特許文献１】
特開２０００−１１１３号公報
【０００７】
【発明が解決しようとする課題】
カードが地域的に又は組織的に広範な範囲で使用される場合には、１カ所で生産されたＩＤカード素材を仕向先別に仕分けし、仕向先毎に特定されたＩＤデータを輸送鍵として付与することにより、仕向先毎への出荷と仕向先における入荷が管理されている。しかるに、前記二次発行者はそれぞれ異なった輸送鍵を設定する関係で、前記一次発行者は、仕向先毎に異なった輸送鍵をＩＤカード素材に付与し、一次発行を行っている。
【０００８】
このように仕向先毎に異なったデータを輸送鍵として使用するシステムでは、ＩＤカード素材を大量発行し、多数の仕向先に発行する一次発行における処理・管理が複雑になって、生産性が低下するという問題がある。
【０００９】
本発明は、ＩＤカード素材に輸送鍵を付与し、カード発行者（二次発行者）にＩＤカード素材を発行するＩＤカード素材発行システムにおける前記の問題、すなわち多種類の輸送鍵を用いることによる生産上の問題を解決することを目的とする。
【００１０】
【課題を解決するための手段】
前記の目的は、下記の発明により達成される。
【００１１】
１．複数の仕向先に輸送されるＩＣメモリ内蔵のＩＤカード素材を発行する一次発行装置及び該一次発行装置から輸送された前記ＩＤカード素材に情報を記録してＩＤカードを発行する二次発行装置を有するＩＤカード発行システムにおいて、
前記一次発行装置は、前記複数の仕向先に共通したデータを有する第１輸送鍵を前記ＩＣメモリに記録する記録手段を有するとともに、前記二次発行装置は、前記第１輸送鍵を読み取るカードリーダ、第２輸送鍵を照合用データに変換する変換手段及び前記第１輸送鍵と前記照合用データとを照合する照合手段を有することを特徴とするＩＤカード発行システム。
【００１２】
２．複数の仕向先に輸送されるＩＣメモリ内蔵のＩＤカード素材を発行する一次発行装置及び該一次発行装置から輸送された前記ＩＤカード素材に情報を記録してＩＤカードを発行する二次発行装置を有するＩＤカード発行システムにおいて、
前記一次発行装置は、前記複数の仕向先に共通したデータを有する第１輸送鍵を前記ＩＣメモリに記録する記録手段を有するとともに、前記二次発行装置は、前記第１輸送鍵を読み取るカードリーダ、第１輸送鍵を照合用データに変換する変換手段及び前記照合用データと第２輸送鍵とを照合する照合手段を有することを特徴とするＩＤカード発行システム。
【００１３】
３．前記二次発行装置に第２輸送鍵を供給する第２輸送鍵供給手段を有することを特徴とする前記１又は前記２に記載のＩＤカード発行システム。
【００１４】
４．ＩＤカード素材から第１輸送鍵を読み取るカードリーダ、第１輸送鍵を照合用データに変換する変換手段及び前記照合用データと第２輸送鍵とを照合する照合手段を有することを特徴とするＩＤカード発行装置。
【００１５】
５．ＩＤカード素材から第１輸送鍵を読み取るカードリーダ、第２輸送鍵を照合用データに変換する変換手段及び第１輸送鍵と前記照合用データとを照合する照合手段を有することを特徴とするＩＤカード発行装置。
【００１６】
６．カードリーダから第１輸送鍵を取得し、該第１輸送鍵を照合用データに変換し、変換された照合用データと第２輸送鍵とを照合することを特徴とするＩＤカードの認証プログラム。
【００１７】
７．カードリーダから第１輸送鍵を取得し、第２輸送鍵を照合用データに変換し、前記第１輸送鍵と前記照合用データとを照合することを特徴とするＩＤカードの認証プログラム。
【００１８】
前記のように本発明においては、ＩＤカード素材を製造し発行する一次発行者側が個々のＩＤカード素材に統一した輸送鍵を付与し、ＩＤカード素材を受け取り認証し、情報をＩＤカード素材に書き込んでＩＤカードを発行する二次発行者が、変換手段を用いて前記統一した輸送鍵を各二次発行者側が所有する輸送鍵に変換してＩＤカード素材の認証を行うことが行われる。
【００１９】
本発明におけるＩＤカードは、学生証、社員証、各種資格証明証等の身分証明証の他に、キャッシュカード、クレジットカード等の証明証を含む。
【００２０】
また、本発明における輸送鍵は、ＩＤカード素材に内蔵されているＩＣメモリに書き込まれる認証用のデータからなり、ＩＤカード素材の発行時に各ＩＤカード素材に付与される。なお、特許文献１では照合用の一対のデータの一方を輸送鍵と称しているが、本発明では、認証用のデータであれば、一対のデータの存在を条件とはしない。すなわち、１個のデータであっても、二次発行者にける認証に使用されるデータは輸送鍵として定義される。
【００２１】
【発明の実施の形態】
図１は本発明の実施の形態に係るＩＤカード発行システム及びＩＤカード発行装置を示す図である。
【００２２】
図において、ＡはＩＤカード素材の製造者に設置されている一次発行装置、ＢはＩＤカードの発行者に設置されている二次発行装置、Ｃは一次発行装置Ａから二次発行装置Ｂに輸送されるＩＤカード素材、Ｄは二次発行装置Ｂが発行するＩＤカードである。ＩＣカード素材Ｃは、後に説明する輸送鍵が記録されたＩＣメモリを内蔵する。
【００２３】
一次発行装置Ａは輸送鍵の一つである第１輸送鍵ＴＫ１をＩＤカードのＩＣメモリに書き込む記録手段としての輸送鍵書込器１を有する。
【００２４】
第１輸送鍵ＴＫ１は、図において”１１１１”のように簡略化して例示するように複数ビットで構成されるデータからなり、たとえば、１６バイト構成のデータである。一次発行装置Ａは複数のＩＤカードの二次発行装置Ｂ１〜ＢｎにＩＤカード素材Ｃを発行するが、輸送鍵ＴＫ１は”１１１１”のように各二次発行装置に共通した統一データからなる。統一データは、二次発行装置Ｂ１〜Ｂｎのそれぞれに共通したデータで構成されるが、例えば、各ＩＤカード素材毎に異なる付加データを有していても良く、二次発行装置Ｂ１〜Ｂｎに共通したデータを有していればよい。
【００２５】
第１輸送鍵ＴＫ１を担持したＩＣメモリを有するＩＤカード素材Ｃは、二次発行装置Ｂ１〜Ｂｎに輸送され、認証される。二次発行装置Ｂ１〜Ｂｎはそれぞれカードリーダ１０、変換手段１１及び照合手段１２を有し、ＩＤカード素材Ｃを受け入れて認証し、正当と認証したＩＤカード素材に個人情報等の情報を書き込んでＩＤカードを発行する。書き込まれる情報としては、顔写真、ＩＤ番号、氏名等のように画像情報として書き込まれるものや、カード所有者の詳細な個人情報のように、ＩＣメモリに電子データとして書き込まれるものがある。
【００２６】
二次発行装置Ｂ１〜Ｂｎの変換手段１１には、ホストコンピュータ１２から、第２輸送鍵ＴＫ２（図では”２２２２””３３３３”で例示している）が入力する。変換手段１１は第２輸送鍵ＴＫ２を照合用データに変換する。
【００２７】
第２輸送鍵の供給手段としては、ホストコンピュータ以外のものでもよく、例えば、二次発行装置Ｂ１〜Ｂｎを駆動する起動キーから供給することもできる。
【００２８】
照合手段１２はカードリーダ１０がＩＤカード素材Ｃから読み取った第１輸送鍵と変換手段１１が変換した照合用データを照合し、一致していれば、正当なＩＤカード素材として認証する。
【００２９】
変換手段１１は、”２２２２”→”１１１１”、”３３３３”→”１１１１”のように、各二次発行装置Ｂ１〜Ｂｎに特有の変換プログラムを有しており、各二次発行装置に特有の第２輸送鍵ＴＫ２を照合用データに変換する。
【００３０】
二次発行装置Ｂ１〜Ｂｎは、個人情報等の各カードに特有の情報をＩＤカード素材Ｃに書き込む情報書込手段１３を有しており、正当と認証したＩＤカード素材Ｃに情報を書き込んでＩＤカードＤを発行する。
【００３１】
図２は本発明の実施の形態に係るＩＤカード発行装置の他の例を示す。
本例では、カードリーダ１０で読み取った第１輸送鍵ＴＫ１を変換手段１１Ａで照合用データに変換している。すなわち、変換手段１１Ａは”１１１１”→”２２２２”、”１１１１”→”３３３３”のように第１輸送鍵を照合用データに変換する。従って、本例では、変換手段１１Ａで変換されたデータと第２輸送鍵ＴＫ２とが照合手段１２において照合される。
【００３２】
図３は、本発明の実施の形態に係るＩＤカード発行装置おけるＩＤカード発行工程のフローチャートである。
【００３３】
ステップＳ１において、第１輸送鍵の読取が行われる。
ステップＳ２において実行される輸送鍵を照合用データに変換する工程は、図１に示す実施の形態においては、第２輸送鍵を照合用データに変換するものであり、図２に示す実施の形態においては、カードリーダ１０が取得した第１輸送鍵を照合用データに変換するものである。
【００３４】
ステップＳ２の次に実行される照合（Ｓ３）は、図１に示す実施の形態においては、第１輸送鍵と照合用データとの照合であり、図２に示す実施の形態においては、第２輸送鍵と照合用データとの照合である。
【００３５】
照合の結果、ＩＤカード素材が正当である場合には（Ｓ４のｙｅｓ）、ＩＤカード素材に情報を書き込んでＩＤカードを発行する（Ｓ５）。
【００３６】
照合の結果、ＩＤカード素材が正当でないときは（Ｓ４のｎｏ）、エラー表示を行い、廃棄の登録等の廃棄処理が行われる（Ｓ５）。
【００３７】
【発明の効果】
請求項に記載の発明により、ＩＤカード素材の管理を低下させることなく、大量のＩＤカード素材を効率良く発行することが可能になる。
【００３８】
しかも、各ＩＤカード発行所において設定している輸送鍵を用いて実施される認証が、従来の認証工程になんらの作業も付加するものではないので、二次発行側に負担をかけることはない。
【図面の簡単な説明】
【図１】本発明の実施の形態に係るＩＤカード発行システム及びＩＤカード発行装置の一例を示す図である。
【図２】本発明の実施の形態に係るＩＤカード発行装置の他の例を示す図である。
【図３】本発明の実施例におけるＩＤカード発行工程を示すフローチャートである。
【符号の説明】
１  輸送鍵書込器
１０  カードリーダ
１１  変換手段
１２  照合手段
１３  情報書込手段
Ａ  一次発行装置
Ｂ、Ｂ１、Ｂｎ  二次発行装置
【図１】
2005004589.tif 000003
【図２】
2005004589.tif 000004
【図３】
2005004589.tif 000005